(57)【要約】【課題】被検体にかかる負担を低減する薬液投与装置を提供する。【解決手段】実施形態に係る薬液投与装置は、１つのカニューレと、センサと、制御部とを備える。カニューレは、被検体からの体液の採取、およびポンプから供給された薬液を被検体に注入する。センサは、採取された体液中の被対象物質を計測する。制御部は、センサによる被対象物質の計測結果に基づいて、ポンプを制御して、カニューレに供給される薬液の量を調整する。【選択図】図５
2020110485.tif 000002
【特許請求の範囲】
【請求項１】
被検体からの体液の採取、およびポンプから供給された薬液を前記被検体に注入する１つのカニューレと、
採取された前記体液中の被対象物質を計測するセンサと、
前記センサによる前記被対象物質の計測結果に基づいて、前記ポンプを制御して、前記カニューレに供給される前記薬液の量を調整する制御部と、
を備える薬液投与装置。
【請求項２】
前記カニューレは、
前記被検体から前記体液を採取するための第１の開口部と、
前記被検体に前記薬液を注入するための第２の開口部と、を備え、
前記第１の開口部と前記第２の開口部とは、異なる方向を向いて設けられる、
請求項１に記載の薬液投与装置。
【請求項３】
前記カニューレの根本から前記第１の開口部までの長さと、前記カニューレの根本から前記第２の開口部までの長さとは異なる長さである、
請求項２に記載の薬液投与装置。
【請求項４】
前記センサによる前記被対象物質の計測結果、または前記センサによる前記被対象物質の計測結果が第１の閾値以下または第２の閾値以上であることを通知するアラートを表示する表示部、をさらに備える、
請求項１から３のいずれか１項に記載の薬液投与装置。
【請求項５】
前記センサによる前記被対象物質の計測結果、または前記センサによる前記被対象物質の計測結果が第１の閾値以下または第２の閾値以上であることを通知するアラートを音または音声で出力する音声出力部、をさらに備える、
請求項１から４のいずれか１項に記載の薬液投与装置。
【請求項６】
前記センサによる前記被対象物質の計測結果、前記薬液の注入量、または前記センサによる前記被対象物質の計測結果が第１の閾値以下または第２の閾値以上であることを通知するアラートを、外部装置に送信する通信部、をさらに備える、
請求項１から５のいずれか１項に記載の薬液投与装置。
【請求項７】
前記制御部は、前記被検体を認証した場合に、前記ポンプを制御して、前記カニューレに前記薬液を供給する、
請求項１から６のいずれか１項に記載の薬液投与装置。
【請求項８】
前記体液は血液であり、
前記被対象物質はグルコースであり、
前記センサは、採取された前記血液中のグルコースの濃度を計測する、
請求項１から７のいずれか１項に記載の薬液投与装置。
【発明の詳細な説明】
【技術分野】
【０００１】
本発明の実施形態は、薬液投与装置に関する。
【背景技術】
【０００２】
従来、被検体に装着してインスリン等の薬液を継続的に投与するインスリンポンプが知られている。また、被検体の血糖値等を計測するセンサによる計測結果に基づいて、インスリンポンプによるインスリンの投与量を制御する技術についても開示されている。
【０００３】
このような従来技術においては、血糖値等を計測するために血液を採取するカニューレと、被検体にインスリンを注入するカニューレとがそれぞれ別個に設けられていた。このため、このような従来技術に基づく装置を使用する被検体は、複数のカニューレを身体に挿入することになり、被検体に負担がかかる場合があった。
【先行技術文献】
【特許文献】
【０００４】
【特許文献１】特開２０１７−１１３１１１号公報
【特許文献２】特開２００５−２６７３６４号公報
【発明の概要】
【発明が解決しようとする課題】
【０００５】
本発明が解決しようとする課題は、被検体にかかる負担を低減する薬液投与装置を提供することである。
【課題を解決するための手段】
【０００６】
実施形態に係る薬液投与装置は、１つのカニューレと、センサと、制御部とを備える。カニューレは、被検体からの体液の採取、およびポンプから供給された薬液を被検体に注入する。センサは、採取された体液中の被対象物質を計測する。制御部は、センサによる被対象物質の計測結果に基づいて、ポンプを制御して、カニューレに供給される薬液の量を調整する。
【図面の簡単な説明】
【０００７】
【図１】図１は、第１の実施形態にかかる薬液投与装置の外観の一例を示す図である。
【図２】図２は、第１の実施形態にかかる薬液投与装置の被検体への装着例を示す図である。
【図３】図３は、第１の実施形態にかかる装着部の被検体への装着例の詳細を示す図である。
【図４】図４は、第１の実施形態にかかるカニューレの一例を示す図である。
【図５】図５は、第１の実施形態にかかる薬液投与装置の構成の一例を示すブロック図である。
【図６】図６は、第１の実施形態にかかるインスリン投与基準データベースの一例を示す図である。
【図７】図７は、第１の実施形態にかかる薬液投与装置の、外部装置との通信の一例を示す図である。
【図８】図８は、第１の実施形態にかかる薬液投与装置で実行される血糖値の計測およびインスリン投与の処理の流れの一例を示すフローチャートである。
【図９】図９は、第１の実施形態にかかる薬液投与装置で実行される投与量判定処理の流れの一例を示すフローチャートである。
【図１０】図１０は、第２の実施形態にかかる薬液投与装置の構成の一例を示すブロック図である。
【図１１】図１１は、第２の実施形態にかかる薬液投与装置で実行される血糖値の計測およびインスリン投与の処理の流れの一例を示すフローチャートである。
【図１２】図１２は、変形例１にかかるカニューレの一例を示す図である。
【図１３】図１３は、変形例２にかかるカニューレの一例を示す図である。
【発明を実施するための形態】
【０００８】
以下、図面を参照しながら、医用画像処理装置及び医用画像診断装置の実施形態について詳細に説明する。
【０００９】
（第１の実施形態）
図１は、本実施形態にかかる薬液投与装置１の外観の一例を示す図である。図１に示すように、薬液投与装置１は、本体部１０と、装着部２０と、本体部１０と装着部２０とを接続するケーブル３０とを備える。
【００１０】
本体部１０は、ディスプレイ１２と、入力装置１１とを備える。また、本体部１０は、装着部２０に内蔵された血糖値センサで計測された血糖値に基づいて、装着部２０に対してインスリンを供給するインスリンポンプの機能を備える。本体部１０の構成の詳細については後述する。
【００１１】
装着部２０は、被検体の皮膚に装着される装置である。装着部２０は、被検体からの血液の採取、および被検体へのインスリンの注入をする１つのカニューレ２２を備える。カニューレ２２には、後述する本体部１０のポンプから、インスリンが供給される。また、装着部２０は、後述する血糖値センサを内蔵する。
【００１２】
インスリンは、本実施形態における薬液の一例である。また、血液は、本実施形態における体液の一例である。血糖値センサは、本実施形態におけるセンサの一例である。また、本実施形態における被対象物質の一例はグルコース（ブドウ糖）であり、血糖値センサは、血液１ｄＬ中のグルコース量、つまり血液中のグルコース濃度（血糖値）を計測する。
【００１３】
ケーブル３０は、本体部１０から装着部２０のカニューレ２２にインスリンを供給するチューブと、本体部１０と装着部２０内の血糖値センサとを接続する伝送路とを内包するケーブルである。伝送路は、例えば、ＵＳＢ（Universal  Serial  Bus）等の規格に準拠したデータ伝送可能な伝送路であるものとする。血糖値センサは、血糖値の計測結果を、当該伝送路を介して本体部１０に送信する。
【００１４】
図２は、本実施形態にかかる薬液投与装置１の被検体Ｐへの装着例を示す図である。図２に示すように、装着部２０は被検体Ｐの表皮に装着（固定）される。
【００１５】
また、本実施形態の薬液投与装置１は、本体部１０および装着部２０が共に被検体Ｐの身体または衣服９００等に取り付け可能な携帯型の薬液投与装置である。本体部１０は、一例として、背面に不図示のクリップ等の把持部を備えるものとする。本体部１０は、当該クリップ等によって被検体Ｐの衣服９００等を把持することにより、被検体Ｐに装着（固定）可能であるものとする。あるいは、本体部１０は、被検体Ｐに固定可能なベルト等を備えるものとしても良い。また、本体部１０は、被検体Ｐの衣服９００のポケット等に収納されるものとしても良い。
【００１６】
図３は、本実施形態にかかる装着部２０の被検体Ｐへの装着例の詳細を示す図である。図３に示すように、装着部２０は、被検体Ｐに接する面に粘着層２０１を備えており、粘着層２０１を被検体Ｐの表皮に当接させることで、被検体Ｐの表皮に固定されるものとする。
【００１７】
また、装着部２０が被検体Ｐの表皮に装着される場合、図３に示すように、カニューレ２２は、被検体Ｐの皮下組織に挿入および留置された状態となる。カニューレ２２は、可撓性を有する素材で構成された筒状部材である。あるいは、金属等で構成された針をカニューレ２２として採用しても良い。
【００１８】
装着部２０に内包された血糖値センサ２１は、カニューレ２２によって採取された被検体Ｐの血液中のグルコース濃度、つまり血糖値を計測する。例えば、血糖値センサ２１は、採取された血液に電圧を印加し、発生した電流値に基づいて血糖値を計測するものとする。血糖値の計測の手法はこれに限定されるものではなく、公知の手法を採用することができる。血糖値センサ２１は、ケーブル３０に内包された伝送路を介して、本体部１０に血糖値の計測結果を送信する。
【００１９】
次に、本実施形態におけるカニューレ２２の構造の詳細について説明する。図４は、本実施形態にかかるカニューレ２２の一例を示す断面図である。図４に示す例では、カニューレ２２は、被検体Ｐの皮下に留置されている。
【００２０】
図４に示すように、カニューレ２２は、被検体Ｐから血液を採取するための第１の開口部２２１と、被検体Ｐにインスリンを注入するための第２の開口部２２２とを備える。
【００２１】
また、カニューレ２２は、採取された血液が通過する第１の中空部２２３と、ケーブル３０内のチューブを介して本体部１０から供給されたインスリンが通過する第２の中空部２２４とを備える。第１の開口部２２１は第１の中空部２２３と接続し、第２の開口部２２２は第２の中空部２２４と接続する。
【００２２】
本実施形態においては、カニューレ２２は、例えば、毛細管現象によって被検体Ｐの血液を第１の開口部２２１から吸引するものとする。第１の開口部２２１から吸引された血液は、毛細管現象によって第１の中空部２２３内を上昇して血糖値センサ２１に到達する。また、第１の中空部２２３内に血糖値を計測するセンサ素子を設けても良い。また、血液の摂取の手法はこれに限定されるものではない。
【００２３】
第１の開口部２２１と、第２の開口部２２２とは、異なる方向を向いて設けられる。例えば、本実施形態においては、第１の開口部２２１は、カニューレ２２が被検体Ｐの皮下に留置された場合に、被検体Ｐの皮膚に対して垂直となる方向を向いて設けられる。また、第２の開口部２２２は、カニューレ２２が被検体Ｐの皮下に留置された場合に、被検体Ｐの皮膚に平行となる方向を向いて設けられる。
【００２４】
また、第１の中空部２２３の長さと、第２の中空部２２４の長さとは異なるものとする。また、第１の開口部２２１は第１の中空部２２３の端部であり、第２の開口部２２２は第２の中空部２２４の端部であるため、カニューレ２２の根本（装着部２０側の端部）から第１の開口部２２１までの長さと、カニューレ２２の根本から第２の開口部２２２までの長さとは異なるものとなる。
【００２５】
本実施形態においては、第１の中空部２２３の長さは、第２の中空部２２４の長さよりも長いものとする。このため、本実施形態においては、第１の中空部２２３の端部である第１の開口部２２１は、第２の中空部２２４の端部である第２の開口部２２２よりもカニューレ２２の先端に近い位置に設けられる。この場合、カニューレ２２が被検体Ｐに挿入された場合に、第１の開口部２２１は、第２の開口部２２２によってインスリンが注入される位置よりも深い位置から血液を採取する。
【００２６】
次に、薬液投与装置１の構成の詳細について説明する。図５は、本実施形態にかかる薬液投与装置１の構成の一例を示すブロック図である。図５に示すように、薬液投与装置１は、装着部２０と本体部１０とを備える。装着部２０は、血糖値センサ２１と、カニューレ２２とを備える。また、本体部１０は、入力装置１１と、ディスプレイ１２と、音声出力装置１３と、インタフェース（Ｉ／Ｆ）回路１４と、処理回路１５と、記憶回路１６と、ポンプ１７とを備える。
【００２７】
入力装置１１は、ボタン、またはパネルスイッチ等を有し、操作者からの各種の操作を受け付け、受け付けた各種の操作を処理回路１５に出力する。例えば、入力装置１１は、操作者からの設定操作、および処理の開始または終了の操作等を受け付ける。
【００２８】
ディスプレイ１２は、処理回路１５による制御の下、血糖値センサ２１による血糖値の計測結果、または各種のアラートを表示する。ディスプレイ１２は、本実施形態における表示部の一例である。
【００２９】
音声出力装置１３は、血糖値センサ２１による血糖値の計測結果、または各種のアラートを音または音声で出力する。音声出力装置１３は、本実施形態における音声出力部の一例である。
【００３０】
ディスプレイ１２および音声出力装置１３が表示または出力するアラートは、一例として、血糖値センサ２１による血糖値の計測結果が第１の閾値以下または第２の閾値以上であることを通知するアラートである。当該アラートの詳細については、後述する。
【００３１】
インタフェース回路１４は、処理回路１５に接続されており、インターネット等のネットワークを介した外部装置との間の無線通信を制御する。インタフェース回路１４は、ネットワークカードやネットワークアダプタ、ＮＩＣ（Network  Interface  Controller）等によって実現される。また、インタフェース回路１４は、ＷｉＦｉ（登録商標）、Ｂｌｕｅｔｏｏｔｈ（登録商標）、またはＲＦＩＤ（Radio  Frequency  Identification）等の近距離無線通信によって外部装置との間で通信を行うものであっても良い。インタフェース回路１４は、本実施形態における通信部の一例である。
【００３２】
ポンプ１７は、シリンジ１７３と、モータ１７２と、アクチュエータ１７１とを備える。シリンジ１７３には、インスリンが予め貯蔵されているものとする。また、シリンジ１７３は、ケーブル３０内のチューブと接続している。シリンジ１７３は、不図示のプランジャ（押し子）を備える。
【００３３】
モータ１７２の回転によりプランジャに荷重が印加されることにより、シリンジ１７３からインスリンが排出される。シリンジ１７３から排出されたインスリンは、ケーブル３０内のチューブを介してカニューレ２２に供給され、第２の中空部２２４を経由して第２の開口部２２２から被検体Ｐに投与（注入）される。
【００３４】
アクチュエータ１７１は、処理回路１５による制御の下、モータ１７２の回転を制御することにより、シリンジ１７３から排出されるインスリンの量を制御する。なお、ポンプ１７の構成はこれに限定されるものではなく、公知のインスリンポンプの技術を適用することができる。
【００３５】
処理回路１５は、本実施形態における制御部の一例であり、血糖値センサ２１による血糖値の計測結果に基づいて、ポンプ１７を制御して、カニューレ２２に供給されるインスリンの量を調整する。
【００３６】
より詳細には、処理回路１５は、取得機能１５１と、判定機能１５２と、ポンプ制御機能１５３と、出力機能１５４と、送信機能１５５とを備える。
【００３７】
取得機能１５１は、所定の時間ごとに、血糖値センサ２１から血糖値の計測結果を取得する。所定の時間は、例えば５分間とする。取得機能１５１は、取得した血糖値の計測結果を、計測時刻と対応付けて、記憶回路１６に保存する。本実施形態においては、血糖値の計測結果と計測時刻とを対応付けた情報を、血糖値の計測結果の履歴という。また、取得機能１５１は、取得した血糖値の計測結果を、判定機能１５２と、出力機能１５４と、送信機能１５５とに送出する。
【００３８】
判定機能１５２は、取得機能１５１が取得した血糖値の計測結果に基づいて、被検体Ｐに投与するインスリンの量を判定する。また、判定機能１５２は、取得機能１５１が取得した血糖値の計測結果に基づいて、アラートの出力要否および出力するアラートの内容を判定する。判定機能１５２によって実行される当該判定の処理を、投与量判定処理という。
【００３９】
より詳細には、判定機能１５２は、血糖値の計測結果と、記憶回路１６に予め保存されたインスリン投与基準データベースに登録された血糖値の閾値とを比較した結果に基づいて、インスリンの投与量、またはアラートの内容を判定する。
【００４０】
図６は、本実施形態にかかるインスリン投与基準データベース１６１の一例を示す図である。図６に示すように、インスリン投与基準データベース１６１には、血糖値と、インスリンの投与量と、出力されるアラートの内容とが対応付けられて保存される。なお、インスリンの投与量は、“１単位＝０．０１ｍＬ”を基準として、単位数で表される。
【００４１】
本実施形態においては、血糖値の値を第１から第６の範囲に分けて定義し、第１から第６の範囲のそれぞれにインスリンの投与量と、出力されるアラートの内容とが対応付けられるものとする。図６に示す例では、第１の範囲を“７９ｍｇ／ｄＬ以下”、第２の範囲を“８０ｍｇ／ｄＬ以上、かつ１５９ｍｇ／ｄＬ以下”、第３の範囲を“１６０ｍｇ／ｄＬ以上、かつ１９９ｍｇ／ｄＬ以下”、第４の範囲を“２００ｍｇ／ｄＬ以上、かつ２４９ｍｇ／ｄＬ以下”、第５の範囲を“２５０ｍｇ／ｄＬ以上、かつ３５０ｍｇ／ｄＬ以下”、第６の範囲を“３５１ｍｇ／ｄＬ以上”とする。
【００４２】
また、第１の範囲の上限値である“７９ｍｇ／ｄＬ以下”は、本実施形態における第１の閾値の一例である。また、第６の範囲の下限値である“３５１ｍｇ／ｄＬ以下”は、本実施形態における第２の閾値の一例である。
【００４３】
例えば、計測された血糖値が第１の閾値（“７９ｍｇ／ｄＬ”）以下の場合は、被検体Ｐが低血糖となる可能性があるため、判定機能１５２は、「ブドウ糖５ｇの摂取の指示」のアラートを出力する、と判定する。
【００４４】
また、計測された血糖値が第２の閾値（“３５１ｍｇ／ｄＬ”）以上の場合は、被検体Ｐが高血糖状態となっているため、判定機能１５２は、被検体Ｐが高血糖となっていることを示す「高血糖アラート」を出力する、と判定する。本実施形態においては、「ブドウ糖５ｇの摂取の指示」のアラートを第１のアラート、「高血糖アラート」を第２のアラートとする。
【００４５】
また、計測された血糖値が第２の範囲に該当する場合は、判定機能１５２は、インスリン投与およびアラートの出力をしない、と判定する。また、計測された血糖値第３から第５の範囲に該当する場合は、判定機能１５２は、各範囲に対応付けられたインスリンの投与量を被検体Ｐに投与する、と判定する。図６に示す血糖値の値、インスリンの投与量、およびアラートの内容は一例であり、これらに限定されるものではない。
【００４６】
判定機能１５２は、インスリンを投与すると判定した場合に、判定したインスリンの投与量を、判定時刻、つまりインスリンが投与された時刻と対応付けて記憶回路１６に保存する。本実施形態においては、インスリンの投与量と、インスリンが投与される時刻とを対応付けた情報を、インスリンの投与量の履歴という。また、判定機能１５２は、判定したインスリンの投与量をポンプ制御機能１５３および送信機能１５５に送出する。また、判定機能１５２は、アラートを出力すると判定した場合に、出力するアラートの内容を、出力機能１５４および送信機能１５５に送出する。
【００４７】
図５に戻り、ポンプ制御機能１５３は、アクチュエータ１７１に制御信号を送信して、判定機能１５２によって判定された量のインスリンをシリンジ１７３から排出するようにポンプ１７を制御する。
【００４８】
出力機能１５４は、ディスプレイ１２および音声出力装置１３を制御する。より詳細には、出力機能１５４は、取得機能１５１が取得した血糖値の計測結果を、ディスプレイ１２に表示させる。また、出力機能１５４は、取得機能１５１が取得した血糖値の計測結果を、音声出力装置１３から音声で出力させる。
【００４９】
また、出力機能１５４は、判定機能１５２がアラートを出力すると判定した場合に、出力対象として判定されたアラートをディスプレイ１２または音声出力装置１３から出力する。
【００５０】
例えば、出力機能１５４は、判定機能１５２が「ブドウ糖５ｇの摂取の指示」のアラートを出力する、と判定した場合に、「ブドウ糖５ｇを摂取してください」という文字メッセージをディスプレイ１２に表示する。また、出力機能１５４は、「ブドウ糖５ｇを摂取してください」という音声を音声出力装置１３から出力しても良い。出力機能１５４は、判定機能１５２が「高血糖アラート」を出力する、と判定した場合に、警告音を音声出力装置１３から出力しても良い。
【００５１】
なお、出力機能１５４は、ディスプレイ１２または音声出力装置１３の一方から血糖値の計測結果またはアラートを出力させるものとしても良いし、ディスプレイ１２および音声出力装置１３の両方に血糖値の計測結果またはアラートを出力させるものとしても良い。
【００５２】
送信機能１５５は、取得機能１５１が取得した血糖値の計測結果、判定機能１５２が判定したインスリンの投与量、および判定機能１５２によって出力すると判定された各種のアラートを、インタフェース回路１４を介して外部装置に送信する。送信機能１５５が送信するアラートは、一例として、血糖値センサ２１による血糖値の計測結果が第１の閾値以下または第２の閾値以上であることを通知するアラートである。
【００５３】
図７は、本実施形態にかかる薬液投与装置１の、外部装置との通信の一例を示す図である。図７に示すスマートフォン４等の携帯端末、電子カルテ装置５、および記録用サーバ装置６は、薬液投与装置１の通信対象となる外部装置の一例である。電子カルテ装置５は、例えば薬液投与装置１が装着された被検体Ｐのかかりつけの病院の電子カルテ装置であるものとする。また、記録用サーバ装置６は、被検体Ｐの血糖値の計測結果およびインスリンの投与量の履歴を保存ずるデータベースを備えるものとする。
【００５４】
送信機能１５５は、血糖値の計測結果、判定機能１５２が判定したインスリンの投与量、および判定機能１５２によって出力すると判定された各種のアラートを、ネットワーク７を介してこれらの外部装置に送信する。ネットワーク７は、インターネットまたはローカルエリアネットワーク（Local  Area  Network：ＬＡＮ）等である。
【００５５】
例えば、薬液投与装置１が装着された被検体Ｐが小児である場合、送信機能１５５は、判定機能１５２によって出力すると判定された各種のアラートを、被検体Ｐの親のスマートフォン４に送信することで、被検体Ｐの状態を通知しても良い。また、インタフェース回路１４がＷｉＦｉ（登録商標）、Ｂｌｕｅｔｏｏｔｈ（登録商標）、またはＲＦＩＤ等の近距離無線通信機能を備える場合、送信機能１５５は、近距離無線通信によってスマートフォン４等に各種のアラートを送信しても良い。
【００５６】
薬液投与装置１の通信対象となる外部装置は図７に示す例に限定されるものではなく、薬液投与装置１は、各種のウェアラブル端末、またはＰＣ（Personal  Computer）等と通信しても良い。
【００５７】
図５に戻り、記憶回路１６は、処理回路１５で使用される各種の情報を予め記憶する。一例として、記憶回路１６は、インスリン投与基準データベース１６１を記憶する。また、記憶回路１６は、血糖値の計測結果の履歴と、インスリンの投与量の履歴とを記憶する。
【００５８】
記憶回路１６は、例えば、ＲＡＭ（Random  Access  Memory）、フラッシュメモリ等の半導体メモリ素子、ハードディスク、光ディスク等により実現される。記憶回路１６は、本実施形態における記憶部の一例である。
【００５９】
ここで、例えば、処理回路１５の構成要素である取得機能１５１と、判定機能１５２と、ポンプ制御機能１５３と、出力機能１５４と、送信機能１５５とは、コンピュータによって実行可能なプログラムの形態で記憶回路１６に記憶されている。処理回路１５は、各プログラムを記憶回路１６から読み出し、読み出した各プログラムを実行することで、各プログラムに対応する機能を実現する。換言すると、各プログラムを読み出した状態の処理回路１５は、図５の処理回路１５内に示された各機能を有することとなる。なお、図５においては、単一の処理回路１５にて、取得機能１５１、判定機能１５２、ポンプ制御機能１５３、出力機能１５４、および送信機能１５５の各処理機能が実現されるものとして説明したが、複数の独立したプロセッサを組み合わせて処理回路１５を構成し、各プロセッサが各プログラムを実行することにより各処理機能を実現するものとしても良い。
【００６０】
上記説明において用いた「プロセッサ」という文言は、例えば、ＣＰＵ（central  preprocess  unit）、ＧＰＵ(Graphics  Processing  Unit)、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、およびフィールドプログラマブルゲートアレイ（Field  Programmable  Gate  Array：ＦＰＧＡ））等の回路を意味する。なお、記憶回路１６にプログラムを保存する代わりに、プロセッサの回路内にプログラムを直接組み込むように構成しても構わない。この場合、プロセッサは回路内に組み込まれたプログラムを読み出し実行することで機能を実現する。
【００６１】
次に、本実施形態にかかる薬液投与装置１で実行される処理の流れについて説明する。図８は、本実施形態にかかる薬液投与装置１で実行される血糖値の計測およびインスリン投与の処理の流れの一例を示すフローチャートである。
【００６２】
まず、取得機能１５１は、血糖値センサ２１から血糖値の計測結果を取得する（Ｓ１）。そして、取得機能１５１は、取得した血糖値の計測結果を、計測時刻と対応付けて記憶回路１６に保存する（Ｓ２）。また、取得機能１５１は、取得した血糖値の計測結果を、判定機能１５２と、出力機能１５４と、送信機能１５５とに送出する。
【００６３】
そして、出力機能１５４は、取得機能１５１が取得した血糖値の計測結果を、ディスプレイ１２に表示させる。また、出力機能１５４は、取得機能１５１が取得した血糖値の計測結果を、音声出力装置１３から音声で出力させる（Ｓ３）。
【００６４】
そして、送信機能１５５は、取得機能１５１が取得した血糖値の計測結果を、インタフェース回路１４を介して外部装置に送信する（Ｓ４）。
【００６５】
次に、判定機能１５２は、投与量判定処理を実行する（Ｓ５）。投与量判定処理の詳細については、図９を用いて説明する。
【００６６】
図９は、本実施形態にかかる薬液投与装置１で実行される投与量判定処理の流れの一例を示すフローチャートである。
【００６７】
判定機能１５２は、血糖値の計測結果と、記憶回路１６に予め保存されたインスリン投与基準データベース１６１に登録された血糖値の閾値とを比較する。まず、判定機能１５２は、被検体Ｐの血糖値が、“０〜７９（ｍｇ／ｄＬ）”、つまり第１の範囲に該当するか否かを判定する（Ｓ５０１）。被検体Ｐの血糖値が、第１の範囲に該当する場合は、被検体Ｐの血糖値が第１の閾値以下となる。
【００６８】
判定機能１５２は、被検体Ｐの血糖値が、第１の範囲に該当すると判定した場合（Ｓ５０１“Ｙｅｓ”）、第１のアラート、つまり「ブドウ糖５ｇの摂取の指示」のアラートを出力する、と判定する（Ｓ５０２）。この場合、判定機能１５２は、第１のアラートを出力することを、出力機能１５４および送信機能１５５に送出する。そして、出力機能１５４は、第１のアラートをディスプレイ１２または音声出力装置１３から出力する。また、送信機能１５５は、第１のアラートを外部装置に送信する。
【００６９】
また、判定機能１５２は、被検体Ｐの血糖値が第１の範囲に該当しないと判定した場合（Ｓ５０１“Ｎｏ”）、被検体Ｐの血糖値が“８０〜１５９（ｍｇ／ｄＬ）”、つまり第２の範囲に該当するか否かを判定する（Ｓ５０３）。
【００７０】
判定機能１５２は、被検体Ｐの血糖値が、第２の範囲に該当すると判定した場合（Ｓ５０３“Ｙｅｓ”）、インスリンの投与をしないと判定する（Ｓ５０４）。また、この場合、判定機能１５２は、アラートの出力もしないと判定する。
【００７１】
また、判定機能１５２は、被検体Ｐの血糖値が第２の範囲に該当しないと判定した場合（Ｓ５０３“Ｎｏ”）、被検体Ｐの血糖値が“１６０〜１９９（ｍｇ／ｄＬ）”、つまり第３の範囲に該当するか否かを判定する（Ｓ５０５）。
【００７２】
判定機能１５２は、被検体Ｐの血糖値が、第３の範囲に該当すると判定した場合（Ｓ５０５“Ｙｅｓ”）、インスリンの投与量を“２単位”と判定する（Ｓ５０６）。この場合、判定機能１５２は、ポンプ制御機能１５３に、判定したインスリンの投与量をポンプ制御機能１５３および送信機能１５５に送出する。
【００７３】
そして、ポンプ制御機能１５３は、判定機能１５２によって判定されたインスリンの投与量に応じてポンプ１７を制御し、判定された投与量（この場合は“２単位”）分のインスリンを被検体Ｐに投与する（Ｓ５０７）。
【００７４】
また、判定機能１５２は、判定したインスリンの投与量を、インスリンが投与された時刻と対応付けて記憶回路１６に保存する（Ｓ５０８）。なお、ポンプ制御機能１５３が、判定したインスリンの投与量を、インスリンが投与された時刻と対応付けて記憶回路１６に保存するものとしても良い。
【００７５】
そして、送信機能１５５は、判定機能１５２が判定したインスリンの投与量を、外部装置に送信する（Ｓ５０９）。
【００７６】
また、判定機能１５２は、被検体Ｐの血糖値が第３の範囲に該当しないと判定した場合（Ｓ５０５“Ｎｏ”）、被検体Ｐの血糖値が“２００〜２４９（ｍｇ／ｄＬ）”、つまり第４の範囲に該当するか否かを判定する（Ｓ５１０）。
【００７７】
判定機能１５２は、被検体Ｐの血糖値が、第４の範囲に該当すると判定した場合（Ｓ５１０“Ｙｅｓ”）、インスリンの投与量を“４単位”と判定する（Ｓ５１１）。この場合、判定機能１５２は、ポンプ制御機能１５３に、判定したインスリンの投与量をポンプ制御機能１５３および送信機能１５５に送出する。Ｓ５１１の処理の後、ポンプ制御機能１５３、判定機能１５２、および送信機能１５５は、Ｓ５０７〜Ｓ５０９の処理を実行する。
【００７８】
また、判定機能１５２は、被検体Ｐの血糖値が第４の範囲に該当しないと判定した場合（Ｓ５１０“Ｎｏ”）、被検体Ｐの血糖値が“２５０〜３５０（ｍｇ／ｄＬ）”、つまり第５の範囲に該当するか否かを判定する（Ｓ５１２）。
【００７９】
判定機能１５２は、被検体Ｐの血糖値が、第５の範囲に該当すると判定した場合（Ｓ５１２“Ｙｅｓ”）、インスリンの投与量を“６単位”と判定する（Ｓ５１３）。この場合、判定機能１５２は、ポンプ制御機能１５３に、判定したインスリンの投与量をポンプ制御機能１５３および送信機能１５５に送出する。Ｓ５１３の処理の後、ポンプ制御機能１５３、判定機能１５２、および送信機能１５５は、Ｓ５０７〜Ｓ５０９の処理を実行する。
【００８０】
また、判定機能１５２は、被検体Ｐの血糖値が第５の範囲に該当しないと判定した場合（Ｓ５１２“Ｎｏ”）、被検体Ｐの血糖値が“２５０（ｍｇ／ｄＬ）”以上、つまり第６の範囲に該当すると判定する。この場合、被検体Ｐの血糖値が第２の閾値以上となるため、判定機能１５２は、第２のアラート、つまり「高血糖アラート」を出力する、と判定する（Ｓ５１４）。この場合、判定機能１５２は、第２のアラートを出力することを、出力機能１５４および送信機能１５５に送出する。そして、出力機能１５４は、第２のアラートをディスプレイ１２または音声出力装置１３から出力する。また、送信機能１５５は、第２のアラートを外部装置に送信する。ここで、このフローチャートの処理は終了し、図８に戻る。
【００８１】
図８のフローチャートでは、Ｓ５の投与量判定処理の後は、取得機能１５１は、処理を終了するか否かを判断する（Ｓ６）。例えば、取得機能１５１は、入力装置１１から血糖値の測定およびインスリンの投与の処理の終了操作が入力された場合に、処理を終了すると判断する（Ｓ６“Ｙｅｓ”）。この場合は、このフローチャートの処理は終了する。
【００８２】
また、取得機能１５１は、入力装置１１から処理の終了操作が入力されていない場合は、処理を終了しないと判断する（Ｓ６“Ｎｏ”）。この場合、取得機能１５１は、前回の血糖値の計測から所定の時間が経過したか否かを判断する（Ｓ７）。取得機能１５１は、前回の血糖値の計測から所定の時間が経過していないと判断した場合は（Ｓ７“Ｎｏ”）、Ｓ６の処理に戻る。また、取得機能１５１は、前回の血糖値の計測から所定の時間が経過したと判断した場合は（Ｓ７“Ｙｅｓ”）、Ｓ１の処理に戻る。
【００８３】
このように、本実施形態の薬液投与装置１によれば、１つのカニューレ２２によって被検体Ｐからの血液の採取、およびポンプ１７から供給されたインスリンの被検体Ｐへの注入をするため、被検体Ｐの負担を低減することができる。
【００８４】
例えば、血糖値の計測用の血液採取用のカニューレと、インスリンの投与用のカニューレとをそれぞれ別に備える装置の場合は、被検体の身体の２箇所にカニューレを挿入することとなる。被検体の身体の複数個所にカニューレを継続的に装着することにより、被検体に負担がかかる場合がある。
【００８５】
これに対して、本実施形態の薬液投与装置１では、１つのカニューレ２２によって被検体Ｐからの血液の採取、および被検体Ｐへのインスリンの注入をするため、被検体Ｐに挿入するカニューレ２２を１つにすることができ、被検体Ｐにかかる負担を低減することができる。
【００８６】
また、例えば、患者（被検体）が手動で血糖値を計測し、その結果に基づいてインスリンの投与量を手動で設定する場合は、血糖値の測定結果の読み間違いや、インスリンの投与量の誤設定が生じる場合がある。この場合、誤った量のインスリンが被検体に投与される可能性がある。特に、Ｉ型糖尿病では、被検体が小児である場合も多いため、血糖値の測定およびインスリンの投与量の調整を被検体自らが行うことが容易ではない場合がある。
【００８７】
これに対して、本実施形態の薬液投与装置１では、血糖値センサ２１による血糖値の計測結果に基づいてポンプ１７を制御して、カニューレ２２に供給されるインスリンの量を調整するため、被検体が手動で投与量を設定することによって誤った量のインスリンを投与してしまうことを回避することができる。このため、本実施形態の薬液投与装置１によれば、インスリンの誤投与の発生を低減することができる。
【００８８】
また、例えば、糖尿病患者以外の人や、血糖値が正常な人に対して、インスリンが投与されると低血糖を引き起こす場合がある。これに対して、本実施形態の薬液投与装置１では、血糖値センサ２１による血糖値の計測結果に基づいて、自動的にインスリンの量が調整されるため、インスリンの投与が不要な人に対してインスリンが誤投与されることを回避することができる。
【００８９】
さらに、本実施形態の薬液投与装置１のカニューレ２２によれば、血液を採取するための第１の開口部２２１とインスリンを注入するための第２の開口部２２２とが異なる方向を向いているため、インスリンの投与をする場所とは異なる場所から、血液の採取をすることができる。このため、本実施形態の薬液投与装置１によれば、１つのカニューレ２２で血液の採取とインスリンの投与をする場合でも、高精度に血糖値を計測することができる。
【００９０】
さらに、本実施形態の薬液投与装置１のカニューレ２２によれば、カニューレ２２の根本から第１の開口部２２１までの長さと、カニューレ２２の根本から第２の開口部２２２までの長さとは異なるため、インスリンの投与をする場所からより遠い位置の血液の採取をすることにより、さらに高精度に血糖値を計測することができる。
【００９１】
また、本実施形態の薬液投与装置１によれば、血糖値センサ２１による血糖値の計測結果、または血糖の計測結果が第１の閾値以下または第２の閾値以上であることを通知するアラートをディスプレイ１２に表示するため、被検体Ｐが低血糖または高血糖であることを、被検体Ｐに迅速に把握させることができる。
【００９２】
また、本実施形態の薬液投与装置１によれば、血糖値センサ２１による血糖値の計測結果、または血糖の計測結果が第１の閾値以下または第２の閾値以上であることを通知するアラートを音または音声で出力するため、被検体Ｐが低血糖または高血糖であることを、被検体Ｐまたは被検体Ｐの周囲の人に迅速に把握させることができる。例えば、被検体Ｐが盲目の場合、薬液投与装置１が音声で血糖値の計測結果やアラートを出力することよって、血糖値の状態を被検体Ｐが容易に把握することができる。
【００９３】
また、本実施形態の薬液投与装置１によれば、血糖値センサ２１による血糖値の計測結果、インスリンの投与量（注入量）、または血糖の計測結果が第１の閾値以下または第２の閾値以上であることを通知するアラートを、外部装置に送信するため、電子カルテ装置５等で被検体Ｐの血糖値の状態を記録および管理することができる。これにより、医師は、被検体Ｐを診察する際に、血糖値のコントロール状況等を把握した上で診断をすることができる。また、本実施形態の薬液投与装置１によれば、アラートを被検体Ｐの親のスマートフォン４に送信することにより、被検体Ｐが小児である場合に、被検体Ｐの親等が被検体Ｐの状態を迅速に把握することができる。例えば、被検体Ｐの親等は、血糖の計測結果が第１の閾値以下であることを通知するアラートをスマートフォン４で受信した場合に、被検体Ｐにブドウ糖等を摂取させるなどの迅速な対応をすることができる。
【００９４】
なお、本実施形態においては、処理回路１５を制御部の一例としたが、ポンプ制御機能１５３を制御部の一例としても良い。また、本実施形態においては、インタフェース回路１４を通信部の一例としたが、送信機能１５５を通信部の一例としても良いし、インタフェース回路１４と送信機能１５５とを併せて通信部の一例としても良い。
【００９５】
また、本実施形態においては、送信機能１５５は、取得機能１５１が血糖値の計測結果を取得する度、または判定機能１５２がインスリンの投与量を判定する度に外部装置に送信していたが、送信タイミングはこれに限定されるものではない。例えば、送信機能１５５は、記憶回路１６に保存された血糖値の計測結果の履歴およびインスリンの投与量の履歴を、定期的に外部装置に送信するものとしても良い。
【００９６】
また、本実施形態のディスプレイ１２または音声出力装置１３が表示または出力するアラートの内容は、上述の例に限定されるものではない。例えば、ディスプレイ１２または音声出力装置１３は、直接的に「ブドウ糖５ｇを摂取してください」と表示または出力する代わりに、「クッキーを食べてください」「ジュースを飲んでください」等の糖分を含む飲食物を摂取するように指示するメッセージを表示または出力しても良い。また、薬液投与装置１はさらに本体部１０を振動させるバイブレーション機能を備えても良く、出力機能１５４は、判定機能１５２がアラートを出力すると判定した場合に、出力対象のアラートの内容に応じて本体部１０を振動させても良い。
【００９７】
また、薬液投与装置１の本体部１０のポンプ１７は、糖分を含む薬液をカニューレ２２に供給する構成を採用しても良い。当該構成を採用する場合、判定機能１５２が血糖の計測結果が第１の閾値以下であると判定した場合に、ポンプ制御機能１５３は、カニューレ２２に糖分を含む薬液を供給することにより、被検体Ｐに糖分を含む薬液を投与する。
【００９８】
また、本実施形態においては、ケーブル３０がチューブと伝送路とを内包するものとしたが、チューブと伝送路とはそれぞれ別のケーブルとして設けられても良い。また、本実施形態の血糖値センサ２１は、ＷｉＦｉ（登録商標）、Ｂｌｕｅｔｏｏｔｈ（登録商標）、またはＲＦＩＤ等の近距離無線通信の機能を備えても良い。この場合、血糖値センサ２１は、計測した血糖値を、近距離無線通信によって本体部１０に送信する。
【００９９】
また、本実施形態においては、カニューレ２２は被検体Ｐに留置された状態であるものとしたが、カニューレ２２は、可動式であっても良い。例えば、装着部２０は、カニューレ２２を挿入および抜出する可動部を備え、当該可動部は処理回路１５の制御の下、血液の採取またはインスリンの投与の際に被検体Ｐに挿入され、採取または投与の終了後に被検体Ｐから抜き出されるものとしても良い。
【０１００】
また、本実施形態においては、血糖値センサ２１は血液中のグルコース量を計測するものとしたが、血糖値センサ２１は、被検体Ｐの皮下間質液中のグルコース量を計測しても良い。この場合、皮下間質液が、体液の一例となる。また、薬液投与装置１は、血糖以外の被対象物質を計測するセンサを備えても良い。例えば、薬液投与装置１は、被検体Ｐの血液から、ＨｂＡ１ｃ（ヘモグロビンＡ１ｃ）を計測するセンサを備えても良い。また、本実施形態においては、インスリンを薬液の一例としたが、薬液投与装置１は、インスリン以外の糖尿病治療薬等の薬液を被検体Ｐに投与するものとしても良い。
【０１０１】
（第２の実施形態）
この第２の実施形態では、第１の実施形態に加えて、薬液投与装置１はインスリンを投与する前に、被検体Ｐの認証を実行する。
【０１０２】
図１０は、本実施形態にかかる薬液投与装置１の構成の一例を示すブロック図である。第１の実施形態と同様に、装着部２０と本体部１０とを備える。
【０１０３】
本実施形態の装着部２０は、血糖値センサ２１と、カニューレ２２と、処理回路２３と、記憶回路２４とを備える。血糖値センサ２１と、カニューレ２２とは、第１の実施形態と同様の機能を備える。
【０１０４】
記憶回路２４は、被検体Ｐの認証情報を予め記憶する。本実施形態においては、被検体Ｐの認証情報は、被検体Ｐのゲノム情報である。記憶回路２４は、例えば、ＲＡＭ、フラッシュメモリ等の半導体メモリ素子、ハードディスク、光ディスク等により実現される。
【０１０５】
処理回路２３は、認証機能２３１を備える。認証機能２３１は、カニューレ２２によって採取された血液をゲノム解析し、解析した結果が記憶回路２４に保存された被検体Ｐのゲノム情報と一致する場合に、被検体Ｐを認証する。処理回路２３は、被検体Ｐの認証結果を本体部１０に送出する。認証機能２３１は、認証部の一例である。認証機能２３１は、ケーブル３０に内包された伝送路または無線通信機能によって、本体部１０に認証結果を送信する。
【０１０６】
処理回路２３の構成要素である認証機能２３１は、コンピュータによって実行可能なプログラムの形態で記憶回路２４に記憶されている。処理回路２３は、各プログラムを記憶回路１６から読み出し、読み出した各プログラムを実行することで、各プログラムに対応する機能を実現する。換言すると、各プログラムを読み出した状態の処理回路２３は、図１０の処理回路２３内に示された認証機能２３１を有することとなる。なお、図１０においては、単一の処理回路２３にて、認証機能２３１が実現されるものとして説明したが、複数の独立したプロセッサを組み合わせて処理回路２３を構成し、各プロセッサが各プログラムを実行することにより認証機能２３１を実現するものとしても良い。
【０１０７】
本体部１０は、第１の実施形態と同様に、入力装置１１と、ディスプレイ１２と、音声出力装置１３と、インタフェース回路１４と、処理回路１５と、記憶回路１６と、ポンプ１７とを備える。入力装置１１と、ディスプレイ１２と、音声出力装置１３と、インタフェース回路１４と、記憶回路１６と、ポンプ１７とは、第１の実施形態と同様の機能を備える。
【０１０８】
本実施形態の処理回路１５は、取得機能１１５１と、判定機能１５２と、ポンプ制御機能１５３と、出力機能１５４と、送信機能１５５とを備える。判定機能１５２と、ポンプ制御機能１５３と、出力機能１５４と、送信機能１５５とは、第１の実施形態と同様の機能を備える。
【０１０９】
本実施形態の取得機能１１５１は、第１の実施形態と同様の機能を備えた上で、装着部２０から、被検体Ｐの認証結果を取得する。取得機能１１５１は、被検体Ｐが認証された場合に、血糖値の計測結果を取得する。また、取得機能１１５１は、被検体Ｐが認証されない場合は、血糖値の計測結果を取得以降の処理を実行しない。この場合、判定機能１５２による判定処理、およびポンプ制御機能１５３によるインスリンの投与等は実行されない。
【０１１０】
図１１は、本実施形態にかかる薬液投与装置１で実行される血糖値の計測およびインスリン投与の処理の流れの一例を示すフローチャートである。
【０１１１】
まず、取得機能１１５１は、装着部２０から、被検体Ｐの認証結果を取得する（Ｓ２１）。そして、取得機能１１５１は、装着部２０の認証機能２３１において、被検体Ｐが認証されたか否かを判断する（Ｓ２２）。取得機能１１５１は、装着部２０の認証機能２３１において、被検体Ｐが認証されたと判断した場合（Ｓ２２“Ｙｅｓ”）、Ｓ１の血糖値の計測結果の取得処理に進む。
【０１１２】
この場合、第１の実施形態と同様に、Ｓ１〜Ｓ７の処理が実行される。つまり、本実施形態においては、被検体Ｐが認証された場合に、ポンプ制御機能１５３がポンプ１７を制御して、カニューレ２２にインスリンを供給する。
【０１１３】
また、取得機能１１５１は、装着部２０の認証機能２３１において、被検体Ｐが認証されていないと判断した場合（Ｓ２２“Ｙｅｓ”）、Ｓ２１処理を繰り返す。この場合、Ｓ１〜Ｓ７の処理は実行されない。
【０１１４】
このように、本実施形態の薬液投与装置１によれば、被検体Ｐを認証した場合に、ポンプ１７を制御して、カニューレ２２にインスリンを供給するため、予め登録された被検体Ｐ以外の人にインスリンが投与されることを回避することができる。このため、本実施形態の薬液投与装置１によれば、インスリンの誤投与の発生をさらに低減することができる。
【０１１５】
なお、本実施形態においては、被検体Ｐの血液のゲノム解析結果に基づいて被検体Ｐを認証するとしたが、認証の手法はこれに限定されるものではない。例えば、薬液投与装置１は、被検体Ｐに装着されたウェアラブル端末や、スマートフォン等と通信することにより、被検体Ｐを認証しても良い。また、認証の手法として、ゲノム解析以外の生体認証を採用しても良い。
【０１１６】
また、装着部２０の処理回路１５ではなく、本体部１０の処理回路１５が認証機能２３１を備える構成を採用しても良い。当該構成を採用する場合、本体部１０の記憶回路１６が被検体Ｐの認証情報を予め記憶するものとする。
【０１１７】
（変形例１）
薬液投与装置１が備えるカニューレ２２の形態は、第１の実施形態で説明した形態に限定されるものではない。
【０１１８】
図１２は、本変形例にかかるカニューレ２２の一例を示す図である。図１２に示すように、カニューレ２２は、複数の第２の開口部２２２ａ，２２２ｂを備えても良い。図１２は、第２の開口部２２２の数は１つまたは２つに限定されるものではなく、カニューレ２２は、さらに多くの第２の開口部２２２を備えても良い。
【０１１９】
（変形例２）
また、図１３は、本変形例にかかるカニューレ２２の一例を示す図である。カニューレ２２は、図１３に示すように先端が細くなる形状であっても良い。また、第１の開口部２２１は、カニューレ２２の細くなった先端の中央に位置されても良い。
【０１２０】
なお、上述の各実施形態においては、カニューレ２２は、第１の開口部２２１から被検体Ｐの血液を採取し、第２の開口部２２２から被検体Ｐにインスリンを注入するとしたが、第１の開口部２２１および第２の開口部２２２の用途はこれに限定されるものではない。例えば、カニューレ２２は、第１の開口部２２１から被検体Ｐにインスリンを注入し、第２の開口部２２２から被検体Ｐの皮下間質液を採取するものとしても良い。
【０１２１】
以上説明した少なくとも１つの実施形態によれば、被検体Ｐにかかる負担を低減することができる。
【０１２２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２３】
１  薬液投与装置
１０  本体部
１１  入力装置
１２  ディスプレイ
１３  音声出力装置
１４  インタフェース回路
１５  処理回路
１６  記憶回路
１７  ポンプ
２０  装着部
２１  血糖値センサ
２２  カニューレ
２３  処理回路
２４  記憶回路
３０  ケーブル
１５１，１１５１  取得機能
１５２  判定機能
１５３  ポンプ制御機能
１５４  出力機能
１５５  送信機能
１６１  インスリン投与基準データベース
２２１  第１の開口部
２２２，２２２ａ，２２２ｂ  第２の開口部
２２３  第１の中空部
２２４  第２の中空部
２３１  認証機能
Ｐ  被検体
【図１】
2020110485.tif 000003
【図２】
2020110485.tif 000004
【図３】
2020110485.tif 000005
【図４】
2020110485.tif 000006
【図５】
2020110485.tif 000007
【図６】
2020110485.tif 000008
【図７】
2020110485.tif 000009
【図８】
2020110485.tif 000010
【図９】
2020110485.tif 000011
【図１０】
2020110485.tif 000012
【図１１】
2020110485.tif 000013
【図１２】
2020110485.tif 000014
【図１３】
2020110485.tif 000015